(57)【要約】【課題】従来のものよりも快適で、寝心地の良い掛け布団カバーを提供する。【解決手段】シート状の表地２０と裏地３０を着脱自在に連結し、当該表地２０と裏地３０との間に掛け布団を収容可能に構成した掛け布団カバー１０。裏地３０の表面には、ウサギのレッキス種から採取した毛皮を配している。レッキス毛皮は、肌触りが非常に良く、ムレ難いという利点がある。また、スベリ性が非常に高いため、寝返りを打ちやすく、熟睡できる。さらには、ドレープ性に優れるため使用感が非常に軽い。掛け布団カバー１０は、表地２０と裏地３０とが完全に分離可能であるため、高価で比較的汚れ難いレッキス毛皮の裏地３０はクリーニングに出して、比較的安価で汚れやすい表地２０は家庭で頻繁に洗濯できる。すなわち、少ない経済的負担で、清潔性を維持できる。【選択図】図２
0003128809.tif 000002
【実用新案登録請求の範囲】
【請求項１】
シート状の表地（２０）と裏地（３０）を着脱自在に連結し、当該表地（２０）と裏地（３０）との間に掛け布団を収容可能に構成した掛け布団カバー（１０）であって、
裏地（３０）の表面に、ウサギのレッキス種から採取した毛皮を配したことを特徴とする、掛け布団カバー。
【請求項２】
シート状の表地（２０）と裏地（３０）を着脱自在に連結し、当該表地（２０）と裏地（３０）との間に掛け布団を収容可能に構成した掛け布団カバー（１０）であって、
裏地（３０）の表面に、動物の毛皮を配したことを特徴とする、掛け布団カバー。
【請求項３】
上記表地（２０）と裏地（３０）が、ボタン（２５）およびボタンホール（３５）を用いて連結されている、請求項１または２記載の掛け布団カバー。
【請求項４】
上記表地（２０）としてジャガード素材を使用したことを特徴とする、請求項１または２記載の掛け布団カバー。
【考案の詳細な説明】
【技術分野】
【０００１】
本考案は、寝心地が良く快適な掛け布団カバーに関する。
【背景技術】
【０００２】
寝具の１つである掛け布団をカバーする掛け布団カバーは、従来から知られており、そのデザインや機能についても多様なものが知られている。
【考案の開示】
【考案が解決しようとする課題】
【０００３】
本考案は、これまで以上に快適で、寝心地の良い掛け布団カバーを提供することを目的とする。
【課題を解決するための手段】
【０００４】
本考案の掛け布団カバーは、シート状の「表地」と「裏地」を着脱自在に連結し、当該「表地」と「裏地」との間に掛け布団を収容可能に構成したものである。そして、「裏地」の表面には、ウサギのレッキス種から採取した毛皮を配している。
【考案の効果】
【０００５】
上記構成の掛け布団カバーは、裏地にレッキス毛皮を使用しているので、次のような優れた効果がある。
（１）レッキス毛皮は、「差毛」ではなく「綿毛」であるため、肌触りが非常に良く、抜け毛も少ない。また、透湿性が高いので、布団内の湿気が外に逃げ易く、ムレ難い。
（２）レッキス毛皮は表面のスベリ性が非常に高い。よく滑るレッキス毛皮が寝ている人の側に位置するので、例えば寝返りをうった場合でも、掛け布団が体に引きずられて一緒に移動することがなく、掛け布団のみがその位置にとどまる。したがって、掛け布団の寝崩れが殆どない。また、寝ている人もストレス無く楽に寝返ることができ、熟睡できる。
（３）レッキス毛皮は、ドレープ性に優れる。ドレープ性とは、一般には、「衣類や掛け布などを、優美にまとわせ、ゆったりとしたヒダを入れる事が出来る性質」をいう。掛け布団カバーに使用した場合には、レッキス毛皮が非常に柔らかくて変形性に富むため、掛け布団カバーの全重量が寝ている人に直接作用することが無く、使用感が非常に軽いという利点がある。この効果は、夏期等に、掛け布団カバー単独（表地と裏地との間に掛け布団を挟み込むことなく）で使用した場合に顕著である。
【０００６】
なお、レッキス毛皮以外の毛皮を利用して裏地を構成してもよいが、上記の効果は薄れる。
【０００７】
また、表地と裏地とが完全に分離可能であるため、高価で比較的汚れ難いレッキス毛皮を採用した裏地は低頻度でクリーニングに出し、比較的安価で汚れやすい表地は家庭で頻繁に洗濯すれば、少ない経済的負担で、清潔性を維持することが可能である。
【考案を実施するための最良の形態】
【０００８】
本考案の実施形態を添付の図面を参照して以下に詳細に説明する。図１は、一実施形態に係る掛け布団カバー１０の表側を示している。図示の例では、表地２０としてジャガード素材を採用しているが、これに限らず、適宜の素材で表地２０を作ることができる。
【０００９】
図２は、掛け布団カバー１０の裏地３０を示している。すなわち、使用時には、この裏地３０が寝ている人の側に位置する。本考案の最も好ましい例では、裏地３０は、ウサギのレッキス種から採取した毛皮を、シート状の基材３１（図３参照）の表面に接着して構成される。
【００１０】
図３は、表地２０と裏地３０との連結方法を示している。この例では、ボタンを用いて両者を連結している。すなわち、表地２０側にボタン２５を設け、裏地３０のこれに対応する位置にボタンホール３５を設けている。裏地３０はシート状基材３１にレッキス毛皮を接着して構成しているが、ボタンホール３５は、このシート状基材３１に形成する。
図３では、白色の補助線を用いて、ボタンホール３５を明確に示している。
【００１１】
図３では部分的にしか図示していないが、ボタン２５およびボタンホール３５は、四角形の掛け布団カバー１０の全周に一定間隔で設けられる。
ただし、これとは逆に、裏地３０側にボタンを設け、表地２０側にボタンホールを設ける構成としてもよい。
なお、ファスナー等、他の適宜の連結手段を利用することも可能であるが、毛皮がファスナーに噛んでしまうことも考えられるので、ボタンを利用することが好ましい。
【００１２】
掛け布団カバー１０は、表地２０と裏地３０との間に掛け布団等（掛け布団である必要はない）を挟み込んで使用するのが一般点であるが、例えば夏期においては、何も挟み込まずに掛け布団カバーのみを単独で、掛け布団の如く使用できる。裏地３０に毛皮を用いているので、それだけで掛け布団としての機能を十分に果たせる。
【００１３】
≪レッキス毛皮の長所≫
一般に、毛皮には「差毛」と「綿毛」があるが、レッキスは「綿毛」である。「差毛」は、肌に直接触れた場合にチクチク感が大きく、また比較的抜け易いので、掛け布団カバーには不向きである。
一方、「綿毛」は、肌触りが非常に良好で、また比較的抜け難いので、掛け布団カバーに適している。レキッス毛皮は、この「綿毛」である。
また、ムートン（羊）等、他の「綿毛」の毛皮に比べて、レッキス毛皮は、軽量であること、および透湿性が高くてムレないという点において優れている。
したがって、レッキス毛皮は、掛け布団カバーの裏地として、最良の素材であると考える。特に、レッキスの背中の部分から採取した毛皮が好ましく、その場合、シングルタイプの掛け布団カバーを作成するのに４９匹（７×７）、ダブルタイプの掛け布団カバーを作成するのに６３匹（７×９）のレッキスを使用する。
【００１４】
レッキス毛皮は、他の毛皮と比較して軽量であるが、それでも掛け布団カバー全体としてはある程度の重量となる。しかし、ドレープ性が高いので、これ単独を掛け布団として利用した場合に、寝ている人の体に作用する重量は、実質的に体の投影面積に対応する掛け布団カバー部分の重量だけである。すなわち、実際にこれを使用して寝てみると、運搬時ほどの重さを感じることはなく、軽いという印象が強い。
【００１５】
また、表地２０と裏地３０が完全に分離できるので、次のような利点がある。裏地３０は、レッキス毛皮で構成されており高価であるから、家庭での洗濯に適さない。また、毛皮は油分を含んでいて汚れをはじくので、比較的汚れ難い。これらの理由から、裏地３０のみを分離して、専門業者によるドライクリーニングに出すのが好ましい。クリーニングにはコストがかかるが、汚れ難いので、クリーニングに出す頻度はそれほど高くなくてもよい。
一方、表地２０は、裏地３０に比べると安価であり、また汚れも生じやすい。そこで、表地２０のみを、裏地３０から分離して家庭で頻繁に洗濯すれば、経済的に有利である。
【図面の簡単な説明】
【００１６】
【図１】本考案の一実施形態に係る掛け布団カバーの表側を示す図。
【図２】図１の掛け布団カバーの裏側を示す図。
【図３】図１の掛け布団カバーにおける表地と裏地の連結方法を説明する図。
【符号の説明】
【００１７】
１０  掛け布団カバー
２０  表地
２５  ボタン
３０  裏地
３１  シート状基材
３５  ボタンホール
【図１】
0003128809.tif 000003
【図２】
0003128809.tif 000004
【図３】
0003128809.tif 000005